(57)【要約】【課題】簡素な構造で、閉止と同時に引戸を開口枠側へ施錠することができ、かつ解錠時の良好な引戸開放を可能にできる引戸用自動施錠装置を得る。【解決手段】閉止とともに引戸１３を開口枠１１に係止する引戸用自動施錠装置１００において、開口枠１１に設けられ大穴、小穴を連設するロック板と、戸先１３ａに設けられロック板に係止するロックピン３５を固設するスライダと、引戸１３の閉止によって戸先当接面１１ａに当接して後退するとともにスライダの付勢方向先端部が当接するトリガー２１と、トリガー２１に設けられ先端に形成されたスリットが弾性によって開脚自在な一対の脚からなる開閉爪座と、スライダに設けられトリガー２１の後退方向の移動によりスリットに挿入される垂下板を有するとともにトリガー２１から離反するスライド位置では開脚爪座の先端に当接する横入突起が垂下板先端に設けられた係脱板とを設けた。【選択図】      図１
2007107196.tif 000002
【特許請求の範囲】
【請求項１】
閉止とともに引戸を開口枠に係止する引戸用自動施錠装置であって、
前記開口枠の戸先当接面に設けられ大穴、小穴を連設してなるロック板と、
前記大穴と前記小穴の連設方向に摺動自在に前記戸先に設けられ前記大穴に進入し前記小穴に係止するロックピンを備えるスライダと、
該スライダを、連設された前記大穴と前記小穴の該小穴方向へ付勢する付勢手段と、
前記戸先から進退自在に設けられ前記引戸の閉止によって前記戸先当接面に当接して後退するとともに前記スライダの付勢方向先端部が当接するトリガーと、
該トリガーを突出方向へ付勢するトリガー付勢手段と、
前記トリガーから前記スライダ方向に突出し先端に形成された前記進退方向のスリットが弾性によって開脚自在な一対の脚からなる開閉爪座と、
該開閉爪座の先端が当接する前記スライダの付勢方向先端部の後方に設けられ前記トリガーの後退方向の移動により前記スリットに挿入される垂下板を有するとともに前記トリガーから離反するスライド位置では前記開脚爪座の先端に当接する横入突起が前記垂下板先端に設けられた係脱板と、
を具備したことを特徴とする引戸用自動施錠装置。
【請求項２】
前記ロック板が、前記大穴、前記小穴の穿設された前記開口枠自体であることを特徴とする請求項１記載の引戸用自動施錠装置。
【請求項３】
前記ロック板が、前記開口枠に取り付けられるロック受け部材であることを特徴とする請求項１記載の引戸用自動施錠装置。
【請求項４】
前記スライダに手掛けが連結され、該手掛けが前記引戸の少なくとも一方の表面に設けられた操作部に表出することを特徴とする請求項１，２，３のいずれか１つに記載の引戸用自動施錠装置。
【請求項５】
前記横入突起の前記進退方向に直交する方向の断面形状が、前記開閉爪座の先端に底辺を当接する三角形状であることを特徴とする請求項１，２，３，４のいずれか１つに記載の引戸用自動施錠装置。
【発明の詳細な説明】
【技術分野】
【０００１】
本発明は、スライドドア、引戸、窓等に用いて好適な引戸用自動施錠装置に関する。
【背景技術】
【０００２】
例えば引戸用施解錠装置には、引戸を閉めることにより、引戸に設けられた錠本体からカマ鉤を自動的に突出させ、このカマ鉤を戸先が当接する開口枠に設けた引戸用ストライク板に係合させることで、引戸を開放不能に施錠するものがある。この種の引戸用施解錠装置は、錠本体の内部にスライド自在なスライダを設け、このスライダの先端部を錠本体のフロント板から突出させてある。錠本体にはこのスライダの後退に従動して回動され、フロント板から突出されるカマ鉤が揺動自在に設けられている。従って、引戸が閉められ、錠本体のフロント板から突出されたスライダの先端部がストライク板に当接すると、スライダが錠本体の内部へ後退する方向にスライドされ、これに従動して錠本体のフロント板からカマ鉤が回動されて突出されることになる。引戸用施解錠装置は、このカマ鉤を、ストライク板のカマ進入穴に係合することで、引戸を開放不能に仮締めすることができた。
【発明の開示】
【発明が解決しようとする課題】
【０００３】
しかしながら、上記した従来の引戸用施解錠装置は、スライダの往復動を、カマ鉤の回動に変換しなければならず、部品形状や機構が複雑となる問題があった。また、解錠時には、ストライク板のカマ進入穴に係合したカマ錠を、円弧状の軌跡で回転動作させて、ストライク板との係合を解除させるため、良好な解除操作性が得にくく、特に、係合の解除と引戸の開動とのタイミングが合わないと、解錠時に良好な引戸開放性が得られないこともあった。
【０００４】
本発明は上記状況に鑑みてなされたもので、簡素な構造で、閉止と同時に引戸を開口枠側へ施錠することができるとともに、解錠時の良好な引戸開放を可能にできる引戸用自動施錠装置を提供することにある。
【課題を解決するための手段】
【０００５】
次に、上記の課題を解決するための手段を、実施の形態に対応する図面を参照して説明する。
本発明の請求項１記載の引戸用自動施錠装置は、閉止とともに引戸１３を開口枠１１に係止する引戸用自動施錠装置１００であって、
前記開口枠１１の戸先当接面１１ａに設けられ大穴２９ｃ、小穴２９ｄを連設してなるロック板１５と、
前記大穴２９ｃと前記小穴２９ｄの連設方向に摺動自在に前記戸先１３ａに設けられ前記大穴２９ｃに進入し前記小穴２９ｄに係止するロックピン３５を備えるスライダ１７と、
該スライダ１７を、連設された前記大穴２９ｃと前記小穴２９ｄの該小穴方向へ付勢する付勢手段１９と、
前記戸先１３ａから進退自在に設けられ前記戸先１３ａの閉止によって前記戸先当接面１１ａに当接して後退するとともに前記スライダ１７の付勢方向先端部１７ｃが当接するトリガー２１と、
該トリガー２１を突出方向へ付勢するトリガー付勢手段２３と、
前記トリガー２１から前記スライダ方向に突出し先端に形成された前記進退方向のスリット２５ａが弾性によって開脚自在な一対の脚２５ｂ，２５ｂからなる開閉爪座２５と、
該開閉爪座２５の先端が当接する前記スライダ１７の付勢方向先端部１７ｃの後方に設けられ前記トリガー２１の後退方向の移動により前記スリット２５ａに挿入される垂下板１７ｆを有するとともに前記トリガー２１から離反するスライド位置では前記開閉爪座２５の先端に当接する横入突起１７ｇが前記垂下板先端に設けられた係脱板２７と、
を具備したことを特徴とする。
【０００６】
この引戸用自動施錠装置１００では、引戸１３が閉動され、戸先１３ａから突出したトリガー２１が開口枠１１の戸先当接面１１ａに当接すると、トリガー２１がトリガー付勢手段２３の付勢力に抗して引戸１３内に後退する。この後退により、トリガー２１の開閉爪座２５が、スライダ１７の付勢方向先端部１７ｃから後方へ移動し、係脱板２７へスリット２５ａを進入させる。その結果、付勢方向先端部１７ｃを開閉爪座２５の先端に当接していたスライダ１７が、付勢手段１９の付勢力によってトリガー２１に接近する方向にスライドする。このスライドにより、スライダ１７に固設されたロックピン３５が、ロック板１５の大穴２９ｃから小穴２９ｄへと移動し、ロックピン３５を介して引戸１３が開口枠１１側のロック板１５に係止することとなる。つまり、引戸１３が施錠される。スライダ１７は、開閉爪座２５のスリット２５ａに、垂下板１７ｆを摺動させながら、トリガー接近方向に移動することとなる。スライダ１７は、付勢方向先端部１７ｃがトリガーブロック２１ｃに当接してスライドが停止する。この施錠状態において、スライダ１７が、トリガー２１から離反方向へスライドされると、垂下板１７ｆが開閉爪座２５のスリット２５ａに摺動し、最終的に横入突起１７ｇがスリット２５ａに当接する。この状態で、さらにスライダ１７がトリガー離間方向へ移動されると、開閉爪座２５は、一対の脚２５ｂ，２５ｂの弾性力によりスリット２５ａが開き、横入突起１７ｇをスリット２５ａの外方へと離脱させる。横入突起１７ｇが離脱すると、開閉爪座２５は、再び弾性復元力によって元の幅となる。これにより、離脱した横入突起１７ｇは、開閉爪座２５の先端に当接し、付勢手段１９の付勢力によってもトリガー接近方向に移動されなくなる。すなわち、この状態では、スライダ１７と共に、ロックピン３５がロック板１５の小穴２９ｄから大穴２９ｃへと移動した状態となり、ロックピン３５とロック板１５との係止が解除、すなわち、引戸１３が解錠された状態となる。また、同時に、開閉爪座２５から横入突起１７ｇが離脱すると、トリガー２１は、トリガー付勢手段２３の付勢力によって戸先１３ａから移動される。この移動によっても、開閉爪座２５の先端が、スライダ１７の付勢方向先端部１７ｃに当接し、スライダ１７は、付勢手段１９の付勢力によっても、トリガー接近方向の移動が阻止される。すなわち、引戸１３は、トリガー２１が戸先１３ａから突出した状態で、ロックピン３５が大穴２９ｃに一致した解錠状態に保持される。一方、スライダ１７がトリガー２１から離反する方向に操作されると、ロックピン３５が小穴２９ｄから大穴２９ｃへと移動され、開口枠１１側への係止が解除されるとともに、トリガー２１の開閉爪座２５から横入突起１７ｇが離脱し、トリガー２１がトリガー付勢手段２３の付勢力によって戸先１３ａから突出され、これによって、引戸１３が開放方向へ始動されることとなる。すなわち、施錠解除と同時に、引戸１３が僅かに開かれる良好な操作性が得られることになる。
【０００７】
請求項２記載の引戸用自動施錠装置１００は、前記ロック板１５が、前記大穴２９ｃ、前記小穴２９ｄの穿設された前記開口枠１１自体であることを特徴とする。
【０００８】
この引戸用自動施錠装置１００では、別部材を開口枠１１に取り付けることなく、引戸１３のロックピン３５が直接開口枠１１に係止可能となる。
【０００９】
請求項３記載の引戸用自動施錠装置１００は、前記ロック板１５が、前記開口枠１１に取り付けられるロック受け部材２９であることを特徴とする。
【００１０】
この引戸用自動施錠装置１００では、加工のできない開口枠１１に対しては、ロック受け部材２９のあとづけにより、大穴２９ｃ及び小穴２９ｄを設けることが可能となる。
【００１１】
請求項４記載の引戸用自動施錠装置１００は、前記スライダ１７に手掛け４１が連結され、該手掛け４１が前記引戸１３の少なくとも一方の表面に設けられた操作部４３に表出することを特徴とする。
【００１２】
この引戸用自動施錠装置１００では、操作部４３に表出した手掛け４１が手指によりスライドされることで、容易な解錠操作が可能となる。
【００１３】
請求項５記載の引戸用自動施錠装置１００は、前記横入突起１７ｇの前記進退方向に直交する方向の断面形状が、前記開閉爪座２５の先端に底辺を当接する三角形状であることを特徴とする。
【００１４】
この引戸用自動施錠装置１００では、解錠操作時には、横入突起１７ｇの頂角を挟む一対の傾斜面３８，３８で、スリット２５ａをスムースに拡幅させることが可能となる。また、解錠完了時には、開閉爪座２５から離反した横入突起１７ｇの底面３９が、開閉爪座２５の先端に当接して、スライダ１７のトリガー接近方向の移動が確実に阻止される。
【発明の効果】
【００１５】
本発明に係る請求項１記載の引戸用自動施錠装置によれば、引戸を閉止すると、トリガーが引戸内に後退し、トリガーの開閉爪座が後方へ移動し、係脱板へスリットを進入させる。その結果、付勢方向先端部を開閉爪座の先端に当接していたスライダが、付勢手段の付勢力によってトリガーに接近する方向にスライドし、このスライドにより、ロックピンを小穴へと移動し、ロックピンを介して引戸をロック板に係止することができる。また、スライダがトリガーから離反する方向に操作されると、ロックピンが小穴から大穴へと移動され、開口枠側への係止が解除されるとともに、トリガーの開閉爪座から横入突起が離脱し、トリガーがトリガー付勢手段の付勢力によって戸先から突出される。これにより、引戸が開放方向へ始動され、解錠と同時に引戸が僅かに開かれる良好な操作性が得られる。この結果、簡素な構造で、引戸閉止時の自動施錠、及び解錠時の良好な引戸開放を可能にすることができる。
【００１６】
請求項２記載の引戸用自動施錠装置によれば、ロック板が、大穴、小穴の穿設された開口枠自体であるので、別部材を開口枠に取り付けることなく、少ない部品で引戸のロックピンを見栄え良く開口枠へ直接係止することができる。
【００１７】
請求項３記載の引戸用自動施錠装置によれば、ロック板が、開口枠に取り付けられるロック受け部材であるので、加工のできない開口枠に対しては、ロック受け部材をあとづけして、大穴及び小穴を設けることができる。
【００１８】
請求項４記載の引戸用自動施錠装置によれば、スライダに手掛けが連結され、この手掛けが引戸の少なくとも一方の表面に設けられた操作部に表出するので、操作部に表出した手掛けを手指によりスライドすることで、解錠操作を容易にすることができる。
【００１９】
請求項５記載の引戸用自動施錠装置によれば、横入突起の進退方向に直交する方向の断面形状が、開閉爪座の先端に底辺を当接する三角形状であるので、解錠操作時には、横入突起の頂角を挟む一対の傾斜面で、スリットをスムースに拡幅させることができ、良好な解錠操作性が得られるとともに、解錠完了時には、開閉爪座から離反した横入突起の底面が、開閉爪座の先端に当接して、スライダのトリガー接近方向の移動を確実に阻止、すなわち、解錠状態に確実に保持させることができる。
【発明を実施するための最良の形態】
【００２０】
以下、本発明に係る引戸用自動施錠装置の好適な実施の形態を図面を参照して詳細に説明する。
図１は本発明に係る引戸用自動施錠装置の設けられた引戸の斜視図、図２は図１に示した引戸用自動施錠装置の分解斜視図、図３は解錠状態の引戸用自動施錠装置の斜視図、図４は解錠状態の引戸用自動施錠装置の断面図、図５は解錠状態の開閉爪座とスライダとの要部拡大斜視図である。
本実施の形態による引戸用自動施錠装置１００は、図１に示すように、建物開口枠１１の戸先当接面１１ａと、引戸１３の戸先１３ａとに亘って設けられ、閉止とともに引戸１３を開口枠１１に係止するよう作動する。
【００２１】
引戸用自動施錠装置１００は、ロック板１５と、スライダ１７と、付勢手段としての付勢バネ１９と、トリガー２１と、トリガー付勢手段としてのトリガーバネ２３と、開閉爪座２５と、係脱板２７とをその主要部材の一部として有する。
ロック板１５は、図２に示すロック受け部材２９に形成される。ロック受け部材２９は、固定穴２９ａ，２９ａを有した固定板２９ｂ，２９ｂと、大穴２９ｃと、小穴２９ｄとを連設してなるロック板１５とからなる。ロック受け部材２９は、開口枠１１に取り付けられることで、大穴２９ｃ、小穴２９ｄが戸先当接面１１ａに配置される。
【００２２】
本実施の形態のように、ロック板１５は、開口枠１１に取り付けられるロック受け部材２９に形成することで、加工のできない開口枠１１に対しては、ロック受け部材２９をあとづけして、大穴２９ｃ及び小穴２９ｄを設けることができる。
【００２３】
なお、ロック板１５は、大穴２９ｃ、小穴２９ｄの穿設された開口枠１１自体、例えばサッシ枠自体などとすることができる。このような開口枠兼用構造とすることで、別部材を開口枠１１に取り付けることなく、少ない部品で引戸１３を、後述のロックピンによって見栄え良く開口枠１１へ直接係止することができる。
【００２４】
引戸１３の戸先１３ａには錠箱３１が設けられ、錠箱３１は戸先１３ａの先端面に表出して取り付けられるフロント板３３を有する。フロント板３３には、固定穴３３ａ，３３ａと、貫通穴３３ｂと、貫通穴３３ｂに連設されたスライド穴３３ｃと、進退穴３３ｄとが穿設される。
【００２５】
錠箱３１内にはスライダ１７が収容され、スライダ１７は錠箱側面に形成された縦スリット３１ａ，３１ａと、スライダ１７のピン孔１７ｈ，１７ｈに嵌着するスライダピン１７ａ，１７ａとを介して上下方向に移動自在となる。このスライダ１７のロックピン穴１７ｂには図３に示すように、フロント板３３から突出して貫通穴３３ｂとスライド穴３３ｃとを移動するロックピン３５が固設される。ロックピン３５の軸３５ａの先端には係止鍔３５ｂが形成され、係止鍔３５ｂはロック板１５の大穴２９ｃに進入し小穴２９ｄに係止する。
【００２６】
図４に示すように、錠箱３１の上部には上端が固定されたガイドピン３７が垂設され、ガイドピン３７は下方を摺動自在にスライダ１７に挿入している。このガイドピン３７には付勢バネ１９が外挿され、付勢バネ１９はスライダ１７を、連設された大穴２９ｃと小穴２９ｄの、小穴２９ｄ方向へロックピン３５が配置されるよう付勢する。
【００２７】
トリガー２１は、錠箱３１の下部に収容され、錠箱側面に穿設された横スリット３１ｂと、トリガー２１のピン孔２１ａに嵌着するトリガーピン２１ｂとによって、トリガーブロック２１ｃが、フロント板３３の進退穴３３ｄから進退可能に摺動される。このトリガー２１は、戸先１３ａから進退自在に設けられ、引戸１３の閉止によって戸先当接面１１ａに当接して後退するとともに、スライダ１７の付勢方向先端部１７ｃが当接する。
【００２８】
錠箱３１の下部には後壁とトリガー２１との間にトリガーバネ２３が配設され、トリガーバネ２３はトリガー２１をフロント板３３から突出方向へ付勢する。
【００２９】
トリガー２１には開閉爪座２５が形成され、開閉爪座２５はトリガー２１からスライダ１７の方向に突出する。開閉爪座２５は、先端に形成された進退方向のスリット２５ａが弾性によって開脚自在な一対の脚２５ｂ，２５ｂからなる。この脚２５ｂ，２５ｂの先端にはスリット２５ａを挟んで爪２５ｃ，２５ｃが設けられ、爪２５ｃ，２５ｃは後述の横入突起の離脱をスムースにするテーパ状の傾斜面を有する。
【００３０】
スライダ１７は、下部前方が角柱形状体が垂下する縦杆１７ｄとなる。この縦杆１７ｄの下端面が上記の付勢方向先端部１７ｃとなる。また、スライダ１７の下部には縦杆１７ｄの後方に段部１７ｅが形成され、段部１７ｅは付勢方向先端部１７ｃより上方に配置される。この段部１７ｅからは縦杆１７ｄに沿って垂下板１７ｆが垂設され、垂下板１７ｆの下端には横入突起１７ｇが設けられている。垂下板１７ｆ、横入突起１７ｇは、上記の係脱板２７を構成している。
【００３１】
すなわち、係脱板２７は、開閉爪座２５の先端が当接するスライダ１７の付勢方向先端部１７ｃの後方に設けられている。また、垂下板１７ｆは、トリガー２１の後退方向の移動により、脚２５ｂ，２５ｂのスリット２５ａに挿入される。さらに、スライダ１７のトリガー２１から離反するスライド位置では、横入突起１７ｇが開閉爪座２５の先端に当接可能となる。
【００３２】
図５に示すように、横入突起１７ｇは、進退方向に直交する方向の断面形状が、開閉爪座２５の先端に底辺を当接する三角形状に形成される。このように、横入突起１７ｇの進退方向に直交する方向の断面形状が、三角形状であるので、後述する解錠操作時には、横入突起１７ｇの頂角を挟む一対の傾斜面３８，３８で、スリット２５ａをスムースに拡幅させることができ、良好な解錠操作性が得られるようになっている。また、解錠完了時には、開閉爪座２５から離反した横入突起１７ｇの底面３９が、開閉爪座２５の先端に当接して、スライダ１７のトリガー接近方向の移動を確実に阻止、すなわち、解錠状態に確実に保持させることができるようになっている。
【００３３】
スライダ１７には手掛け４１が固設され、手掛け４１は引戸１３の少なくとも一方の表面に設けられた操作部４３に表出されている。このように、スライダ１７に手掛け４１が固設され、この手掛け４１が引戸１３の表面に設けられた操作部４３に表出するので、手掛け４１を手指によりスライドすることで、解錠操作を容易にすることができるようになっている。
【００３４】
次に、上記の構成を有する引戸用自動施錠装置１００の作用を説明する。
図６は閉動開始時の引戸用自動施錠装置の斜視図、図７は閉動開始時の引戸用自動施錠装置の断面図、図８は閉動開始時の開閉爪座とスライダとの要部拡大斜視図である。
引戸１３が閉動され、戸先１３ａから突出したトリガー２１が開口枠１１の戸先当接面１１ａ（ロック板１５）に当接すると、トリガー２１がトリガーバネ２３の付勢力に抗し、図６、図７に示すように、引戸（錠箱３１）内に後退する。この後退により、図８に示すように、トリガー２１の開閉爪座２５が、スライダ１７の付勢方向先端部１７ｃから後方へ移動し、係脱板２７の横入突起１７ｇへスリット２５ａを進入させる。その結果、付勢方向先端部１７ｃを開閉爪座２５の先端に当接していたスライダ１７が、付勢バネ１９の付勢力によってトリガー２１に接近する方向にスライドする。
【００３５】
図９はスライダ下降途中の斜視図、図１０はスライダ下降途中の断面図、図１１はスライダ下降途中の開閉爪座とスライダとの要部拡大斜視図である。
このスライドにより、図９，図１０に示すように、スライダ１７に固設されたロックピン３５が、ロック板１５の大穴２９ｃから小穴２９ｄへと移動し、ロックピン３５を介して引戸１３が開口枠１１側のロック板１５に係止することとなる。つまり、引戸１３が施錠される。このとき、スライダ１７は、図１１に示すように、開口枠１１のスリット２５ａに、垂下板１７ｆを摺動させながら、トリガー接近方向に移動することとなる。
【００３６】
図１２は施錠時の引戸用自動施錠装置の斜視図、図１３は施錠時の引戸用自動施錠装置の断面図、図１４は施錠時の開閉爪座とスライダとの要部拡大斜視図である。
施錠状態が完了すると、図１２に示すように、ロックピン３５が小穴２９ｄの最下端に配置される。このとき、図１３に示すように、スライダ１７は、付勢方向先端部１７ｃがトリガーブロック２１ｃに当接してスライドが停止する。また、この状態で、図１３，図１４に示すように、開閉爪座２５の先端と段部１７ｅとは離間している。
【００３７】
図１５は解錠操作時の引戸用自動施錠装置の斜視図、図１６は解錠操作時の引戸用自動施錠装置の断面図、図１７は開放操作完了時の開閉爪座とスライダとの要部拡大斜視図である。
この施錠状態において、操作部４３の手掛け４１が上方へスライド操作され、これに伴ってスライダ１７が、図１５，図１６に示すように、トリガー２１から離反方向へスライドされると、垂下板１７ｆが開閉爪座２５のスリット２５ａに摺動し、最終的に横入突起１７ｇがスリット２５ａに当接する。この状態で、さらにスライダ１７がトリガー２１から離間方向へ移動されると、開閉爪座２５は、一対の脚２５ｂ，２５ｂの弾性力によりスリット２５ａが開き、横入突起１７ｇをスリット２５ａの外方へと離脱させる。横入突起１７ｇが離脱すると、開閉爪座２５は、再び弾性復元力によって元の幅となる。これにより、離脱した横入突起１７ｇは、図１７に示すように、開閉爪座２５の先端に当接し、付勢バネ１９の付勢力によってもトリガー接近方向に移動されなくなる。
【００３８】
すなわち、この状態では、スライダ１７と共に、ロックピン３５がロック板１５の小穴２９ｄから大穴２９ｃへと移動した状態となり、ロックピン３５とロック板１５との係止が解除、すなわち、引戸１３が解錠された状態となる。また、同時に、開閉爪座２５から横入突起１７ｇが離脱すると、トリガー２１は、トリガーバネ２３の付勢力によって戸先１３ａから移動される。この移動によっても、開閉爪座２５の先端が、スライダ１７の付勢方向先端部１７ｃに当接し、スライダ１７は、付勢バネ１９の付勢力によっても、トリガー接近方向の移動が阻止される。すなわち、引戸１３は、トリガー２１が戸先１３ａから突出した状態で、ロックピン３５が大穴２９ｃに一致した解錠状態に保持される。
【００３９】
これに加え、ロックピン３５が小穴２９ｄから大穴２９ｃへと移動され、開口枠１１側への係止が解除されるとともに、トリガー２１の開閉爪座２５から横入突起１７ｇが離脱し、トリガー２１がトリガーバネ２３の付勢力によって戸先１３ａから突出される。これによって、引戸１３が開放方向へトリガー２１の突出力によって始動されることとなる。すなわち、施錠解除と同時に、トリガー２１の突出力が助勢力となり、引戸が僅かに開かれる良好な操作性が得られることになる。
【００４０】
したがって、この引戸用自動施錠装置１００によれば、引戸１３を閉止すると、トリガー２１が引戸内に後退し、トリガー２１の開閉爪座２５が後方へ移動し、係脱板２７へスリット２５ａを進入させる。その結果、付勢方向先端部１７ｃを開閉爪座２５の先端に当接していたスライダ１７が、付勢バネ１９の付勢力によってトリガー２１に接近する方向にスライドし、このスライドにより、ロックピン３５を小穴２９ｄへと移動し、ロックピン３５を介して引戸１３をロック板１５に自動係止することができる。
【００４１】
また、スライダ１７がトリガー２１から離反する方向に操作されると、ロックピン３５が小穴２９ｄから大穴２９ｃへと移動され、開口枠１１側への係止が解除されるとともに、トリガー２１の開閉爪座２５から横入突起１７ｇが離脱し、トリガー２１がトリガーバネ２３の付勢力によって戸先１３ａから突出される。これにより、引戸１３が開放方向へ始動され、解錠と同時に引戸１３が僅かに開かれる良好な操作性が得られる。この結果、簡素な構造で、引戸閉止時の自動施錠、及び解錠時の良好な引戸開放を可能にすることができる。
【００４２】
なお、上記の実施の形態では、解錠操作手段が、手掛け４１を介してスライダ１７を上昇操作する機構としたが、本発明に係る引戸用自動施錠装置は、その他の機構が用いられるものであってもよく、例えば、電動アクチュエータ（モータ、ソレノイド等）を用いてもよい。この場合、手動操作部を無くすことで、オートロックを容易に実現することができる。また、上記の実施の形態では、手掛け４１を引戸１３の一方の表面に配設した場合を例に説明したが、手掛け４１は引戸１３の両面に配設しても勿論良い。さらに、本発明に係る引戸用自動施錠装置は、他の施錠装置（シリンダ錠等）と組み合わせて多重ロックとしてもよい。
【図面の簡単な説明】
【００４３】
【図１】本発明に係る引戸用自動施錠装置の設けられた引戸の斜視図である。
【図２】図１に示した引戸用自動施錠装置の分解斜視図である。
【図３】解錠状態の引戸用自動施錠装置の斜視図である。
【図４】解錠状態の引戸用自動施錠装置の断面図である。
【図５】解錠状態の開閉爪座とスライダとの要部拡大斜視図である。
【図６】閉動開始時の引戸用自動施錠装置の斜視図である。
【図７】閉動開始時の引戸用自動施錠装置の断面図である。
【図８】閉動開始時の開閉爪座とスライダとの要部拡大斜視図である。
【図９】スライダ下降途中の斜視図である。
【図１０】スライダ下降途中の断面図である。
【図１１】スライダ下降途中の開閉爪座とスライダとの要部拡大斜視図である。
【図１２】施錠時の引戸用自動施錠装置の斜視図である。
【図１３】施錠時の引戸用自動施錠装置の断面図である。
【図１４】施錠時の開閉爪座とスライダとの要部拡大斜視図である。
【図１５】解錠操作時の引戸用自動施錠装置の斜視図である。
【図１６】解錠操作時の引戸用自動施錠装置の断面図である。
【図１７】開放操作完了時の開閉爪座とスライダとの要部拡大斜視図である。
【符号の説明】
【００４４】
１１…開口枠
１１ａ…戸先当接面
１３…引戸
１５…ロック板
１７…スライダ
１７ｃ…付勢方向先端部
１７ｆ…垂下板
１７ｇ…横入突起
１９…付勢手段（付勢バネ）
２１…トリガー
２３…トリガー付勢手段（トリガーバネ）
２５…開閉爪座
２５ａ…スリット
２５ｂ…脚
２７…係脱板
２９…ロック受け部材
２９ｃ…大穴
２９ｄ…小穴
３５…ロックピン
４１…手掛け
４３…操作部
１００…引戸用自動施錠装置
【図１】
2007107196.tif 000003
【図２】
2007107196.tif 000004
【図３】
2007107196.tif 000005
【図４】
2007107196.tif 000006
【図５】
2007107196.tif 000007
【図６】
2007107196.tif 000008
【図７】
2007107196.tif 000009
【図８】
2007107196.tif 000010
【図９】
2007107196.tif 000011
【図１０】
2007107196.tif 000012
【図１１】
2007107196.tif 000013
【図１２】
2007107196.tif 000014
【図１３】
2007107196.tif 000015
【図１４】
2007107196.tif 000016
【図１５】
2007107196.tif 000017
【図１６】
2007107196.tif 000018
【図１７】
2007107196.tif 000019